(57)【特許請求の範囲】
【請求項１】
プーリに穿設された複数のサービスホールに各々間隙をもって挿通可能な軸部及び該軸部の基端に一体に形成された頭部を有する複数のピンと、
上記各ピンの軸部が間隙をもって挿通して先端が前面から突出すると共に上記頭部を係止する複数のピン係止孔が穿設された円板状のピン保持部及び円筒部が同心状に連続形成された円筒部を有するハウジングと、
上記円筒部に嵌合すると共に上記各ピンの頭部と当接可能に対向するリング状のストッパと、
上記ハウジングに連結される操作部とを備え、
上記ハウジングのピン保持部から突出する各ピンの軸部を上記プーリのサービスホールに挿入して上記操作部の回動操作に伴うハウジングの回動によって上記プーリを回転させ、かつ上記操作部の固定によって上記プーリを固定保持することを特徴とするプーリ回転・保持治具。
【請求項２】
上記ハウジングは、該ハウジングの中心軸線上に上記操作部が着脱自在に連結される操作部用嵌合部を有することを特徴とする請求項１に記載のプーリ回転・保持治具。
【請求項３】
上記ピンは、上記軸部の周面に凹凸状の滑り止めが形成されたことを特徴とする請求項１または２に記載のプーリ回転・保持治具。
【請求項４】
上記ピン保持部に穿設されるピン係止孔は、上記中心軸線から径方向に異なるオフセット量で複数の同心状に配置されたことを特徴とする請求項１〜３のいずれかに記載のプーリ回転・保持治具。
【発明の詳細な説明】
【０００１】
【発明の属する技術分野】
本発明は、既に組み付けられたプーリを回転或いは所定位置に固定保持するプーリ回転・保持治具に関する。
【０００２】
【従来の技術】
例えば、既に組み立てられたエンジンのバルブクリアランス調整等の際に、クランクシャフトを所定位置に回転及び固定保持する作業は、クランクシャフトに設けられたプーリを回転及び、所定の位置に固定保持することによって行われる。
【０００３】
このようなプーリの回転及び固定保持は、一般にプーリに開口する複数のサービスホールの位置に合致するピンが固設されたアダプタをプーリに取り付け、アダプタをレンチ等の工具で回転或いは保持することによって行われる。
【０００４】
この種のプーリを回転或いは所定位置に固定保持する工具としては、例えば特開２００１−１３８２５６号公報に開示されるように、棒状の本体の先端に突出可能に取り付けられてプーリの外周に当接するプーリ押え、及び環状に形成されて本体の先端に設けられた締め付けバンドを備え、締め付けバンドをプーリの外周に位置させた状態でプーリ押えをプーリの外周に当接させ、この状態からプーリ押えをプーリの外周に押し付けて締め付けバンドとプーリ押えによってプーリを挟持することによって本体をプーリに固定し、この本体を回動させることによってプーリを回転させ、かつ本体を固定することによってプーリを固定保持するものがある。
【０００５】
また、同様にプーリの外周にベルトを巻き付けて、プーリに工具を固定してプーリを回転させ、或いはプーリを固定保持する工具が特開２０００−２４９３９号公報に開示されている。
【０００６】
【発明が解決しようとする課題】
上記プーリの側面からサービスホールにピンを挿入してアダプタを装着し、アダプタを介してプーリを回転或いは固定保持する方法にあっては、アダプタにピンが固設されることから、サービスホールからピンが抜け出してアダプタがプーリから外れ易く、安定した作業に影響を及ぼすおそれがある。また、作業上の要求によりプーリにアダプタを装着したまま放置することが困難で、不要の工数の増加が発生することがある。特にアダプタにレンチ等の工具が取り付けられた状態ではよりプーリから外れ易くなる。
【０００７】
また、特開２００１−１３８２５６号公報や特開２０００−２４９３９号公報に開示される工具にあっては、放置してもプーリから工具が外れることはないが、プーリの外周に締め付けバンドを巻き付けることから、プーリにベルトが張設された状態では使用することができず、張設されたベルトを外す必要があり作業が煩雑になり効率的な作業が妨げられることが懸念される。
【０００８】
従って、かかる点に鑑みなされた本発明の目的は、プーリにベルトが張設された状態でかつ、安定した状態でプーリに保持されて優れた作業性が得られるプーリ回転・保持治具を提供することにある。
【０００９】
【課題を解決するための手段】
上記目的を達成する請求項１に記載のプーリ回転・保持治具の発明は、プーリに穿設された複数のサービスホールに各々間隙をもって挿通可能な軸部及び該軸部の基端に一体に形成された頭部を有する複数のピンと、上記各ピンの軸部が間隙をもって挿通して先端が前面から突出すると共に上記頭部を係止する複数のピン係止孔が穿設された円板状のピン保持部及び円筒部が同心状に連続形成された円筒部を有するハウジングと、上記円筒部に嵌合すると共に上記各ピンの頭部と当接可能に対向するリング状のストッパと、上記ハウジングに連結される操作部とを備え、上記ハウジングのピン保持部から突出する各ピンの軸部を上記プーリのサービスホールに挿入して上記操作部の回動操作に伴うハウジングの回動によって上記プーリを回転させ、かつ上記操作部の固定によって上記プーリを固定保持することを特徴とする。
【００１０】
請求項１の発明によると、ピンをプーリのサービスホールに挿入してプーリを回動させる際、操作部の回動操作によりハウジングを回動すると、ピンが傾動して軸部がプーリのサービスホールの両端縁に押接され、その圧接力によってサービスホールからピンの抜け出しが防止され、安定した状態でプーリを回転させることができる。
【００１１】
また、操作部を固定することによって、ハウジングを介してピンがサービスホールに係合してプーリの回転が阻止される。この際においても、プーリの反力によってピンが傾動して軸部がサービスホールの両端縁に押接され、この圧接力によってサービスホールからピンの抜け出しが防止され、安定した状態でプーリを固定することができる。
【００１２】
更に、プーリにプーリ回転・保持治具を装着した状態で放置すると、プーリ回転・保持治具それ自体の重量によってピン係止孔に支持されたピンが傾動して軸部がプーリのサービスホールの両端縁に押接されて抜け出しが防止され、安定した状態でプーリにプーリ回転・保持治具が保持される。
【００１３】
従って、プーリの回転、固定及びプーリに装着したまま放置した際にも、安定した状態でプーリに保持されて優れた作業性が得られ、かつプーリの側面にプーリ回転・保持治具が装着されることからプーリにベルトを張設した状態での作業が行え、作業の効率化が得られると共に作業者の負担が大幅に軽減される。
【００１４】
請求項２に記載の発明は、請求項１のプーリ回転・保持治具において、上記ハウジングは、該ハウジングの中心軸線上に上記操作部が着脱自在に連結される操作部用嵌合部を有することを特徴とする。
【００１５】
請求項２の発明によると、ハウジングに操作部が着脱自在に連結することから、ハウジングの簡素化が得られると共に、操作部として市販のラチェットレンチ等の工具を使用することが可能になる。
【００１６】
請求項３に記載の発明は、請求項１または２のプーリ回転・保持治具において、上記ピンは、上記軸部の周面に凹凸状の滑り止めが形成されたことを特徴とする。
【００１７】
請求項３の発明によると、ピンの軸部の周面に滑り止めが形成されることから、プーリに形成されたサービスホールの端縁とピンの係合がより確実になり、プーリの回転及び固定作業の作業性が向上すると共に、プーリにプーリ回転・保持治具を装着した状態での放置がより確実に保持される。
【００１８】
請求項４に記載の発明は、請求項１〜３のいずれかのプーリ回転・保持治具において、上記ピン保持部に穿設されるピン係止孔は、上記中心軸線から径方向に異なるオフセット量で複数の同心状に配置されたことを特徴とする。
【００１９】
請求項４の発明によると、ピン係止孔を中心軸線から径方向に異なるオフセット量で複数の同心状に配設することによって、ピンの位置を変えることが可能になりサービスホールが異なるプーリの回転、固定等に使用することが可能になり、プーリ回転・保持治具の汎用性が拡大される。
【００２０】
【発明の実施の形態】
以下、本発明によるプーリ回転・保持治具の実施の形態を、側面にサービスホール５１が同心状に等間隔で４個穿孔されたプーリ５０を回動してクランクシャフトを回転させて所望の回転位置に固定する場合を例に、図１乃至図１１を参照して説明する。
【００２１】
図１は、本実施の形態によるプーリ回転・保持治具１の概要を示す全体斜視図、図２は要部を示す拡大図、図３は要部を示す分解斜視図である。プーリ回転・保持治具１は、治具本体１０と、治具本体１０に装着される操作部４０を有している。
【００２２】
治具本体１０は、図４に側面図、図５に図４のＩ−Ｉ線断面図を示すように、ハウジング１１と、複数、本実施の形態では４本のピン２１及びストッパ３１によって構成される。
【００２３】
ハウジング１１は、図６（ａ）に平面図を示し、（ａ）のＩＩ−ＩＩ線断面図を同図（ｂ）に示すように、プーリ５０の側面に接面可能なリング状でかつ円板状のピン保持部１２と、ピン保持部１２の内周縁に一端が連続形成された円筒部１３と、円筒部１３の他端に操作部用嵌合部１４が中心軸線ａ上に同心状で連続して一体形成された断面略ハット形状に形成されている。
【００２４】
ピン保持部１２には、中心軸線ａから径方向にプーリ５０のサービスホール５１に相応したオフセット量Ｌ１で同心状に等間隔で複数、本実施の形態では４個の円孔状のピン係止孔１５が穿設され、更に同様に他種類のプーリのサービスホールに相応して中心軸線ａからオフセット量Ｌ２で同心状に４個のピン係止孔１６が穿設されている。一方、操作部用嵌合部１４には操作部連結手段となる断面矩形状の操作部用嵌合孔１７が穿設され、操作部用嵌合孔１７の相対向する面にはディテント穴１８ａが開口している。
【００２５】
ピン２１は、図７（ａ）に側面図を示し、かつ（ａ）のＡ矢視図を同図（ｂ）に示すように、先端２２ａがテーパ状に面取りされてピン保持部１２に穿孔されたピン係止孔１５、１６及びプーリ５０のサービスホール５１に間隙を有して挿通可能な円柱状の軸部２２と、軸部２２の基端に一体形成され、大径でかつピン係止孔１５、１６の端縁に係止可能な略円板状或いは円柱状の頭部２３によって略ボルト状に形成され、頭部２３の外周に円筒部１３との干渉を回避するために平坦な切欠き部２３ａが形成されている。
【００２６】
ストッパ３１は、図８（ａ）に平面図を示し、かつ（ａ）のＩＩＩ−ＩＩＩ線断面図を同図（ｂ）に示すように、ハウジング１１の円筒部１３の外径より若干大径の内孔３２を有し、かつ外径がピン保持部１２の外径と略同じリング状の円板に形成されている。
【００２７】
このように形成されたハウジング１１、ピン２１、ストッパ３１は、図２及び図４、図５に示すようにハウジング１１のピン保持部１２に穿孔されたピン係止孔１５或いは１６の一方、本実施の形態ではプーリ５０のサービスホール５１に対応する４個のピン係止孔１５にピン２１の軸部２２を挿通して、ピン保持部１２の後面１２ａに頭部２３が当接するまで挿入して前面１２ｂから軸部２２の先端２２ａを突出させる。更に、ハウジング１１の円筒部１３にストッパ３１の内孔３２を嵌合させて、ピン２１の頭部２３との間に若干の間隙を有して当接可能に対向するように装着して治具本体１０を組立てる。
【００２８】
一方、操作部材４０は、例えば市販のラチェットレンチ４１によって構成される。ラチェットレンチ４１の軸部４２は、図３に示すように操作部用嵌合孔１７に嵌合可能な断面矩形であって、その軸部４２の対向する面に操作部用嵌合孔１７に形成されたディテント穴１８ａに係合するディテント１８ｂが配設されている。
【００２９】
このラチェットレンチ４１の軸部４２を、組み立てられた治具本体１０のハウジング１１に形成された操作部用嵌合孔１７に挿入し、ディテント穴１８ａにディテント１８ｂを係合させて治具本体１０にラチェットレンチ４１を一体的に連結することによって、図１及び図２に示すようにプーリ回転・保持治具１が組み立てられる。
【００３０】
このように構成されたプーリ回転・保持治具１は、ストッパ３１及びラチェットレンチ４１のハンドル部４３を把持してストッパ３１によってピン係止孔１５からピン２１の抜け出しを阻止しつつ、図１及び図２に示す状態から、ピン保持部１２の前面１２ｂから突出する各ピン２１の軸部２２を、各々プーリ５０に穿孔されたサービスホール５１に挿入することによって図９に示すようにプーリ５０に装着される。
【００３１】
そしてラチェットレンチ４１のハンドル部４３を図９に矢印で示すように往復回動操作してハウジング１１を一方向に回転させることによって、ハウジング１１の各ピン係止孔１５に各々装着されたピン２１を介してプーリ５０を回転させてクランクシャフトの角度を合わせる。
【００３２】
このプーリ５０の回動の際、ピン２１の軸部２２がハウジング１１のピン保持部１２に穿孔されたピン係止孔１５及びプーリ５０のサービスホール５１より小径に形成されてハウジング１１に間隙をもって支持されることから、図１０に図９のＩＶ−ＩＶ線断面図を示すようにハンドル部４３の回動操作により、例えばハウジング１１のピン保持部１２が矢印Ｒ方向に回動する。その回動に伴ってピン係止孔１５に間隙をもって支持されたピン２１が傾動して軸部２２がプーリ５０に穿設されたサービスホール５１の両開口端部の対向する端縁５１ａ、５１ｂに押接され、その圧接力Ｐによってピン２１がサービスホール５１から抜け出すのが有効的に防止され、かつ傾動するピン２１の頭部２３によってハウジング１１のピン保持部１２の前面１２ｂがプーリ５０の側面に圧接保持され安定した状態でプーリ５０を回転させることができる。
【００３３】
また、ラチェットレンチ４１のハンドル部４３を固定することによって、ハウジング１１を介してピン部２１がサービスホール５１に係合するプーリ５０の回転が阻止され、プーリ５０がその位置に固定される。この固定の際においても、プーリ５０の反力によってピン係止孔１５に支持されたピン２１が傾動して軸部２２がプーリ５０に穿設されたサービスホール５１の両開口端部の対向する端縁５１ａ、５１ｂに押接され、その圧接力Ｐによってピン２１のサービスホール５１からの抜け出しが防止され、かつ傾動するピン２１の頭部２３によってハウジング１１のピン保持部１２の前面１２ｂがプーリ５０の側面に圧接保持された安定した状態でプーリ５０を固定することができる。
【００３４】
一方、作業上の要求等によりプーリ５０にプーリ回転・保持治具１を装着した状態で放置すると、プーリ回転・保持治具１それ自体の重量Ｇによって図１１に示すようにピン係止孔１５に支持されたピン２１が傾動して軸部２２がプーリ５０に穿設されたサービスホール５１の両開口端部の対向する端縁５１ａ、５１ｂに押接され、その圧接力Ｐによってピン２１のサービスホール５１からの抜け出しが防止され、かつ傾動するピン部２１の頭部２３によってハウジング１１のピン保持部１２の前面１２ｂがプーリ５０の側面に圧接保持されて安定した状態でプーリ回転・保持治具１がプーリ５０の側面に保持される。
【００３５】
従って、プーリ５０の回転、固定保持にあたり、プーリ回転・保持治具１のハウジング１１に支持されたピン２１の傾動によってサービスホール５１からの抜け出しが防止され、かつハウジング１１をプーリ５０の側面に圧接保持されてプーリ５０の回転及び固定保持作業が安定した状態で行え、かつプーリ５０の側面にプーリ回転・保持治具１が装着されることからプーリ５０にベルト５３を張設した状態で作業が行えることと相俟って優れた作業性が優れる。また、プーリ５０にプーリ回転・保持治具１を安定した装着した状態で放置することができ、不要な工数の発生を抑制することができ、作業の効率化が得られると共に、作業者の負担が大幅に軽減される。
【００３６】
一方、同様にピン２１を他方の各ピン係止孔１６に挿通することによって、ハウジング１１に支持されたピン２１の位置が変えられ、上記プーリ５０と異なる位置にサービスホールが穿設されたプーリの回転、固定等に使用することができる。即ち、ハウジング１１のピン保持部１２に穿設される各ピン係止孔を中心軸線ａから径方向に異なるオフセット量で複数の同心状に配設する簡単な構成によって、サービスホールが異なる種類のプーリの回転及び固定作業等に使用することが可能でき、汎用性が拡大できる。
【００３７】
また、プーリ回転・保持治具１が比較的簡単な形状のハウジング１１、ピン部２１、ストッパ３１及び市販のラチェットレンチ４１により容易に構成され、かつ各部材間を溶接やボルト等で結合する必要がなく生産性に優れ、安価に得ることができる。
【００３８】
なお、本発明は上記実施の形態に限定されることなく、発明の趣旨を逸脱しない範囲で種々変更可能である。例えば、ピン２１の軸部２２の周面にねじ状や複数のリング状或いは他の形状の凹凸状の滑り止めを形成することによって、プーリ５０に形成されたサービスホール５１の端縁５１ａ、５１ｂとの係合がより確実になり、上記プーリ５０の回転及び固定作業の作業性が向上すると共に、プーリ５０にプーリ回転・保持治具１を装着した状態での放置がより安定した状態で保持できる。
【００３９】
また、上記実施の形態ではハウジング１１に断面矩形の操作部用嵌合孔１７を形成したが、断面六角形等他の多角形の操作部用嵌合孔を形成することも可能である、操作部４０は、ラチェットレンチ４１に代えて操作部用嵌合孔に係合可能な他の工具を使用することもできる。また、ハウジング１１の操作部用嵌合孔１７に操作部を嵌合するように構成したが、ハウジング１１にレバー状の操作部を一体に連結することもできる。
【００４０】
なお、上記実施の形態ではエンジンのクランクシャフトに連結されたプーリの回転作業等に使用した場合を例に説明したが、他のプーリの回転作業等に広く使用することができる。
【００４１】
【発明の効果】
以上説明した本発明のプーリ回転・保持治具によると、ピンの軸部がハウジングのピン保持部に穿孔されたピン係止孔及びプーリのサービスホールに間隙をもって嵌合することから、操作部の回動操作によるハウジングの回動によって、ピンが傾動してその軸部がプーリのサービスホールの両端縁に押接されてサービスホールからの抜け出しが有効的に防止されて、安定した状態でプーリを回転させることができる。
【００４２】
また、操作部を固定することによって、プーリの反力によってピンが傾動して軸部がサービスホールの両端縁に押接され、サービスホールからピンの抜け出しが防止されて、安定した状態でプーリを固定することができる。
【００４３】
更に、プーリにプーリ回転・保持治具を装着した状態で放置する際においても、プーリ回転・保持治具それ自体の重量によってピン係止孔に支持されたピンが傾動してプーリのサービスホールの両端縁に押接されて抜け出しが防止され、安定した状態でプーリにプーリ回転・保持治具が保持される。また、プーリの側面にプーリ回転・保持治具が装着されることからプーリにベルトを張設した状態で作業が行え、作業の効率化が得られると共に、作業者の負担が大幅に軽減される。
【図面の簡単な説明】
【図１】本発明によるプーリ回転・保持治具の実施の形態の概要を示す全体斜視図である。
【図２】図１の要部を示す拡大図である。
【図３】要部を示す分解斜視図である。
【図４】治具本体の側面図である。
【図５】図４のＩ−Ｉ線断面図である。
【図６】ハウジングの説明図であり、（ａ）はハウジングの平面図、（ｂ）は（ａ）のＩＩ−ＩＩ線断面図である。
【図７】ピンの説明図であり、（ａ）はピンの側面図、（ｂ）は（ａ）のＡ矢視図である。
【図８】ストッパの説明図であり、（ａ）はストッパの平面図、（ｂ）は（ａ）のＩＩＩ−ＩＩＩ線断面図である。
【図９】プーリ回転・保持治具の使用状態を示す説明図である。
【図１０】図９のＩＶ−ＩＶ線断面図である。
【図１１】使用状態を示す要部断面図である。
【符号の説明】
１       プーリ回転・保持治具
１０        治具本体
１１        ハウジング
１２        ピン保持部
１２ａ      後面
１２ｂ      前面
１３        円筒部
１４        操作部材嵌合部
１５、１６  ピン係止孔
１７        操作部嵌合孔
２１        ピン
２２        軸部
２３        頭部
３１        ストッパ
３２        内孔
４０        操作部
４１        ラチェットレンチ
５０        プーリ
５１        サービスホール
５３        ベルト
ａ      中心軸線
【図１】
0004076122.tif 000002
【図２】
0004076122.tif 000003
【図３】
0004076122.tif 000004
【図４】
0004076122.tif 000005
【図５】
0004076122.tif 000006
【図６】
0004076122.tif 000007
【図７】
0004076122.tif 000008
【図８】
0004076122.tif 000009
【図９】
0004076122.tif 000010
【図１０】
0004076122.tif 000011
【図１１】
0004076122.tif 000012